(57)【要約】【課題】複数の蓄電装置のうち特定の蓄電装置に放電や充電が偏ることを効果的に防止することができる電力供給システムを提供する。【解決手段】系統電源Ｓと各住宅Ｈとの間で流通する電力を検出可能な複数のセンサ２１〜２３と、複数のセンサ２１〜２３の検出値に基づいて負荷追従運転を行うことで、住宅Ｈへ電力を放電可能な複数の蓄電装置１０と、複数の蓄電装置１０と複数のセンサ２１〜２３とを１対１で互いに接続させる切替装置３０と、蓄電装置１０の積算放電電力量を取得し、当該取得した積算放電電力量の少ない順番に、蓄電装置１０の放電の優先順位を設定し、優先順位が上位の蓄電装置１０ほど検出値が高いセンサ２１〜２３と接続されるように、切替装置３０の動作を制御するＥＭＳ４０と、を具備する。【選択図】図１
2017221049.tif 000002
【特許請求の範囲】
【請求項１】
系統電源と負荷との間で流通する電力を検出可能な複数のセンサと、
前記複数のセンサの検出値に基づいて負荷追従運転を行うことで、前記負荷へ電力を放電可能な複数の蓄電装置と、
前記複数の蓄電装置と前記複数のセンサとを１対１で互いに接続させる切替装置と、
前記蓄電装置の積算放電電力量を取得し、当該取得した積算放電電力量の少ない順番に、前記蓄電装置の放電の優先順位を設定し、前記優先順位が上位の蓄電装置ほど前記検出値が高い前記センサと接続されるように、前記切替装置の動作を制御する制御部と、
を具備する、
電力供給システム。
【請求項２】
系統電源から負荷に至る配電線上の互いに異なる箇所に設けられ、当該設けられた箇所を流通する電力を検出可能な複数のセンサと、
前記複数のセンサの検出値に基づいて負荷追従運転を行うことで、前記負荷へ電力を放電可能な複数の蓄電装置と、
前記複数の蓄電装置と前記複数のセンサとを１対１で互いに接続させる切替装置と、
前記蓄電装置の積算放電電力量を取得し、当該取得した積算放電電力量の少ない順番に、前記蓄電装置の放電の優先順位を設定し、前記優先順位が上位の蓄電装置ほど前記配電線の下流側に配置される前記センサと接続されるように、前記切替装置の動作を制御する制御部と、
を具備する、
電力供給システム。
【請求項３】
前記制御部は、
前記複数の蓄電装置のうち前記優先順位が最上位の蓄電装置を、他の蓄電装置よりも前に前記複数のセンサと１対１で接続させる、
請求項１又は請求項２に記載の電力供給システム。
【請求項４】
前記切替装置は、
内部に前記複数の蓄電装置及び前記複数のセンサと接続された電路を有し、当該電路を開閉することで、前記複数の蓄電装置と前記複数のセンサとを１対１で互いに接続させる、
請求項１から請求項３までのいずれか一項に記載の電力供給システム。
【発明の詳細な説明】
【技術分野】
【０００１】
本発明は、複数の蓄電装置を具備する電力供給システムの技術に関する。
【背景技術】
【０００２】
従来、複数の蓄電装置を具備する電力供給システムの技術は公知となっている。例えば、特許文献１に記載の如くである。
【０００３】
特許文献１に記載の電力供給システムは、電力を充放電可能な複数の蓄電装置を有している。このような電力供給システムにおいては、複数の蓄電装置からの電力を負荷へと供給することができる。すなわち、１つの蓄電装置だけでは得ることが困難な電力量を、負荷へと供給することができる。
【０００４】
また、特許文献１に記載の電力供給システムにおいては、蓄電装置の充電状態（電力を蓄積可能な定格容量に対して蓄積されている充電残量の割合）や充電回数に基づいて、負荷へと電力を供給する蓄電装置を決定している。これによって、複数の蓄電装置のうち、特定の蓄電装置に放電や充電が偏ることを防止している。
【先行技術文献】
【特許文献】
【０００５】
【特許文献１】特開２０１３−１７９７２９号公報
【発明の概要】
【発明が解決しようとする課題】
【０００６】
しかし、負荷へと電力を供給する蓄電装置を決定するために、蓄電装置の充電残量の割合や充電回数に基づくことは、特定の蓄電装置に放電や充電が偏ることを防止するのに不十分であった。
【０００７】
本発明は、以上の如き状況を鑑みてなされたものであり、その解決しようとする課題は、複数の蓄電装置のうち特定の蓄電装置に放電や充電が偏ることを効果的に防止することが可能な電力供給システムを提供するものである。
【課題を解決するための手段】
【０００８】
本発明の解決しようとする課題は以上の如くであり、次にこの課題を解決するための手段を説明する。
【０００９】
即ち、系統電源と負荷との間で流通する電力を検出可能な複数のセンサと、前記複数のセンサの検出値に基づいて負荷追従運転を行うことで、前記負荷へ電力を放電可能な複数の蓄電装置と、前記複数の蓄電装置と前記複数のセンサとを１対１で互いに接続させる切替装置と、前記蓄電装置の積算放電電力量を取得し、当該取得した積算放電電力量の少ない順番に、前記蓄電装置の放電の優先順位を設定し、前記優先順位が上位の蓄電装置ほど前記検出値が高い前記センサと接続されるように、前記切替装置の動作を制御する制御部と、を具備するものである。
【００１０】
系統電源から負荷に至る配電線上の互いに異なる箇所に設けられ、当該設けられた箇所を流通する電力を検出可能な複数のセンサと、前記複数のセンサの検出値に基づいて負荷追従運転を行うことで、前記負荷へ電力を放電可能な複数の蓄電装置と、前記複数の蓄電装置と前記複数のセンサとを１対１で互いに接続させる切替装置と、前記蓄電装置の積算放電電力量を取得し、当該取得した積算放電電力量の少ない順番に、前記蓄電装置の放電の優先順位を設定し、前記優先順位が上位の蓄電装置ほど前記配電線の下流側に配置される前記センサと接続されるように、前記切替装置の動作を制御する制御部と、を具備するものである。
このような構成により、複数の蓄電装置のうち特定の蓄電装置に放電や充電が偏ることを効果的に防止することができる。
【００１１】
前記制御部は、前記複数の蓄電装置のうち前記優先順位が最上位の蓄電装置を、他の蓄電装置よりも前に前記複数のセンサと１対１で接続させることとしてもよい。
このような構成により、放電優先順位が下位の蓄電装置が最上位の蓄電装置よりも先に一時的に放電するのを防止することができる。
【００１２】
前記切替装置は、内部に前記複数の蓄電装置及び前記複数のセンサと接続された電路を有し、当該電路を開閉することで、前記複数の蓄電装置と前記複数のセンサとを１対１で互いに接続させるととしてもよい。
このような構成により、簡単に複数の蓄電装置と複数のセンサとを接続することができる。
【発明の効果】
【００１３】
本発明の効果として、以下に示すような効果を奏する。
【００１４】
複数の蓄電装置のうち特定の蓄電装置に放電や充電が偏ることを効果的に防止することができる。
【図面の簡単な説明】
【００１５】
【図１】第一実施形態に係る電力供給システムの構成を示したブロック図。
【図２】同じく、切替装置の構成を示したブロック図。
【図３】非動作時における切替装置の状態を示したブロック図。
【図４】（ａ）切替装置の非動作時において各蓄電装置が放電していない状態を示したブロック図。（ｂ）同じく、第一蓄電装置が放電した状態を示したブロック図。
【図５】（ａ）同じく、第二蓄電装置が放電した状態を示したブロック図。（ｂ）同じく、第三蓄電装置が放電した状態を示したブロック図。
【図６】第一実施形態に係るＥＭＳによる事前設定の処理を示したフローチャート。
【図７】同じく、ＥＭＳによる切替装置の動作の処理を示したフローチャート。
【図８】ステップＳ１１４における切替装置の状態を示したブロック図。
【図９】（ａ）ステップＳ１１４において各蓄電装置が放電していない状態を示したブロック図。（ｂ）同じく、第一蓄電装置が放電した状態を示したブロック図。
【図１０】（ａ）同じく、第二蓄電装置が放電した状態を示したブロック図。（ｂ）同じく、第三蓄電装置が放電した状態を示したブロック図。
【図１１】ステップＳ１１５における切替装置の状態を示したブロック図。
【図１２】（ａ）ステップＳ１１５において各蓄電装置が放電していない状態を示したブロック図。（ｂ）同じく、第一蓄電装置が放電した状態を示したブロック図。
【図１３】（ａ）同じく、第三蓄電装置が放電した状態を示したブロック図。（ｂ）同じく、第二蓄電装置が放電した状態を示したブロック図。
【図１４】ステップＳ１１９における切替装置の状態を示したブロック図。
【図１５】（ａ）ステップＳ１１９において各蓄電装置が放電していない状態を示したブロック図。（ｂ）同じく、第二蓄電装置が放電した状態を示したブロック図。
【図１６】（ａ）同じく、第一蓄電装置が放電した状態を示したブロック図。（ｂ）同じく、第三蓄電装置が放電した状態を示したブロック図。
【図１７】ステップＳ１２０における切替装置の状態を示したブロック図。
【図１８】（ａ）ステップＳ１２０において各蓄電装置が放電していない状態を示したブロック図。（ｂ）同じく、第二蓄電装置が放電した状態を示したブロック図。
【図１９】（ａ）同じく、第三蓄電装置が放電した状態を示したブロック図。（ｂ）同じく、第一蓄電装置が放電した状態を示したブロック図。
【図２０】ステップＳ１２３における切替装置の状態を示したブロック図。
【図２１】（ａ）ステップＳ１２３において各蓄電装置が放電していない状態を示したブロック図。（ｂ）同じく、第三蓄電装置が放電した状態を示したブロック図。
【図２２】（ａ）同じく、第一蓄電装置が放電した状態を示したブロック図。（ｂ）同じく、第二蓄電装置が放電した状態を示したブロック図。
【図２３】ステップＳ１２４における切替装置の状態を示したブロック図。
【図２４】（ａ）ステップＳ１２４において各蓄電装置が放電していない状態を示したブロック図。（ｂ）同じく、第三蓄電装置が放電した状態を示したブロック図。
【図２５】（ａ）同じく、第二蓄電装置が放電した状態を示したブロック図。（ｂ）同じく、第一蓄電装置が放電した状態を示したブロック図。
【図２６】第二実施形態に係る電力供給システムの構成を示したブロック図。
【図２７】同じく、切替装置の構成を示したブロック図。
【図２８】同じく、ＥＭＳによる切替装置の動作の処理を示したフローチャート。
【図２９】ステップＳ２１２における切替装置の状態を示したブロック図。
【図３０】（ａ）ステップＳ２１２において各蓄電装置が放電していない状態を示したブロック図。（ｂ）同じく、第一蓄電装置が放電した状態を示したブロック図。（ｃ）同じく、第二蓄電装置が放電した状態を示したブロック図。
【図３１】ステップＳ２１３における切替装置の状態を示したブロック図。
【図３２】（ａ）ステップＳ２１３において各蓄電装置が放電していない状態を示したブロック図。（ｂ）同じく、第二蓄電装置が放電した状態を示したブロック図。（ｃ）同じく、第一蓄電装置が放電した状態を示したブロック図。
【発明を実施するための形態】
【００１６】
以下では、第一実施形態に係る電力供給システム１について説明する。
【００１７】
図１に示す電力供給システム１は、複数の戸建住宅（住宅Ｈ）からなる住宅街区（住宅Ｈの集合体）に適用することを想定している。具体的には、住宅街区には、複数の（戸建）住宅Ｈとして、第一住宅Ｈ１、第二住宅Ｈ２及び第三住宅Ｈ３等が設けられる。住宅街区においては、電力小売事業者が電力会社（系統電源Ｓ）から電力を一括購入し、当該購入した電力が各住宅Ｈに適宜供給（売却）される。
【００１８】
電力供給システム１は、電力小売事業者が電力会社から一括購入した電力を、複数の住宅Ｈ（第一住宅Ｈ１、第二住宅Ｈ２及び第三住宅Ｈ３）間で適宜供給（融通）するためのシステムである。図１に示すように、電力供給システム１は、主として複数の蓄電装置１０、センサ部２０、切替装置３０及びＥＭＳ４０を具備する。
【００１９】
複数の住宅Ｈ（第一住宅Ｈ１、第二住宅Ｈ２及び第三住宅Ｈ３）は、人が居住する建物である。各住宅Ｈには適宜の電気製品が設けられ、電力が消費される。
【００２０】
また、各住宅Ｈは、系統電源Ｓと接続される。具体的には、各住宅Ｈは、上流側端部が系統電源Ｓと接続されると共に下流側端部が分岐して各住宅Ｈと接続された配電線Ｌを介して、当該系統電源Ｓと接続される。
【００２１】
複数の蓄電装置１０（第一蓄電装置１１、第二蓄電装置１２及び第三蓄電装置１３）は、系統電源Ｓからの電力を適宜充放電するためのものである。各蓄電装置１０は、充放電可能な蓄電池や当該蓄電池の充放電を制御するパワーコンディショナ等を具備する。各蓄電装置１０は、所定の住宅Ｈに対応するように設けられる（１つの住宅Ｈに対して、１つの蓄電装置が設けられる）。各蓄電装置１０は、前記所定の住宅Ｈ（住宅Ｈの住人）に所有されている。第一蓄電装置１１、第二蓄電装置１２及び第三蓄電装置１３は、それぞれ配電線Ｌの中途部に接続される。第一蓄電装置１１、第二蓄電装置１２及び第三蓄電装置１３は、それぞれ配電線Ｌにおいて、下流側から上流側へ向けて順番に配置される。
【００２２】
第一蓄電装置１１は、配電線Ｌの下流側端部（分岐する部分）の直ぐ上流側に配置された第一連結点Ｐ１に接続される。第一蓄電装置１１は、第一住宅Ｈ１の住人に所有されている。
【００２３】
第二蓄電装置１２は、配電線Ｌにおいて第一連結点Ｐ１よりも上流側に配置された第二連結点Ｐ２に接続される。第二蓄電装置１２は、第二住宅Ｈ２の住人に所有されている。
【００２４】
第三蓄電装置１３は、配電線Ｌにおいて第二連結点Ｐ２よりも上流側に配置された第三連結点Ｐ３に接続される。第三蓄電装置１３は、第三住宅Ｈ３の住人に所有されている。
【００２５】
このように構成される各蓄電装置１０（第一蓄電装置１１、第二蓄電装置１２及び第三蓄電装置１３）は、所定の充電時間帯（例えば、２３時から７時までの間）に、系統電源Ｓからの電力が充電されるように構成される。こうして、深夜料金が適用された比較的安価な電力を各蓄電装置１０に充電させ、当該充電させた電力を（深夜料金が適用されない）昼間の時間帯に放電させることにより、比較的高価な電力の購入量を減少させることができる。なお、各蓄電装置１０に充電させた電力は、電力小売事業者が電力会社から一括購入した後の電力が分配されたものである。すなわち、各蓄電装置１０に充電された電力の料金は、当該各蓄電装置１０を所有する住人から電力小売事業者へと支払われる。
【００２６】
また、各蓄電装置１０は、後述する切替装置３０を介して電気的に接続されたセンサ部２０のセンサ（第一センサ２１、第二センサ２２及び第三センサ２３）から出力された信号が入力され、当該入力された信号に基づいて当該センサの検出値を取得可能に構成される。各蓄電装置１０は、接続されたセンサ部２０のセンサの検出値に基づいて、放電（出力）する電力量を調整する負荷追従運転を行うことができる。
【００２７】
また、各蓄電装置１０は、所定の期間（本実施形態においては、直近の２４時間）の間に放電した電力量の総和である積算放電電力量を算出可能に構成される。
【００２８】
センサ部２０は、配電線Ｌを流通する電力を検出するものである。センサ部２０は、第一センサ２１、第二センサ２２及び第三センサ２３を具備する。第一センサ２１、第二センサ２２及び第三センサ２３は、それぞれ検出結果に関する信号を出力可能に構成される。第一センサ２１、第二センサ２２及び第三センサ２３は、それぞれ配電線Ｌにおいて、下流側から上流側へ向けて順番に配置される。
【００２９】
第一センサ２１は、第一連結点Ｐ１と第二連結点Ｐ２との間に配置される。第一センサ２１は、系統電源Ｓ、第三蓄電装置１３及び第二蓄電装置１２からの電力を検出することができる。
【００３０】
第二センサ２２は、第二連結点Ｐ２と第三連結点Ｐ３との間に配置される。第二センサ２２は、系統電源Ｓ及び第三蓄電装置１３からの電力を検出することができる。
【００３１】
第三センサ２３は、第三連結点Ｐ３と系統電源Ｓとの間に配置される。第三センサ２３は、系統電源Ｓからの電力を検出することができる。
【００３２】
切替装置３０は、各蓄電装置１０とセンサ部２０のセンサとを１対１で互いに接続させるためのものである。切替装置３０は、各蓄電装置１０とセンサ部２０のセンサとを接続するための配線の中途部に設けられ、当該配線を介して各蓄電装置１０及びセンサ部２０のセンサとそれぞれ接続される。図２に示すように、切替装置３０は、その内部に前記配線と接続された電路を有する。当該電路は、その中途部で適宜分岐して、第一蓄電装置１１から第三蓄電装置１３までと、第一センサ２１から第三センサ２３までとを互いに接続可能に構成される。電路には、分岐する部分に複数の内部連結点（第一内部連結点Ｐ１１から第八内部連結点Ｐ１８まで）が設けられる。
【００３３】
第一内部連結点Ｐ１１は、電路の最も第一センサ２１に近い側に設けられる。電路は、第一内部連結点Ｐ１１で各蓄電装置１０に向けて図面（紙面）の上下３つに分岐する。
【００３４】
第二内部連結点Ｐ１２は、電路の最も第二センサ２２に近い側に設けられる。電路は、第二内部連結点Ｐ１２で各蓄電装置１０に向けて図面の左右３つに分岐する。当該分岐した電路のうち右側の電路は、後述する第七内部連結点Ｐ１７を介して第一内部連結点Ｐ１１で上側に分岐した電路と接続される。
【００３５】
第三内部連結点Ｐ１３は、電路の最も第三センサ２３に近い側に設けられる。電路は、第三内部連結点Ｐ１３で各蓄電装置１０に向けて図面の上下３つに分岐する。当該分岐した電路のうち上側の電路は、後述する第八内部連結点Ｐ１８を介して第二内部連結点Ｐ１２で左側に分岐した電路と接続される。
【００３６】
第四内部連結点Ｐ１４は、電路の最も第一蓄電装置１１に近い側に設けられる。第四内部連結点Ｐ１４には、第一内部連結点Ｐ１１で下側に分岐した電路及び第三内部連結点Ｐ１３で上側に分岐した電路が接続される。また、第四内部連結点Ｐ１４には、第八内部連結点Ｐ１８を介して第二内部連結点Ｐ１２で左側に分岐した電路が接続される。
【００３７】
第五内部連結点Ｐ１５は、電路の最も第二蓄電装置１２に近い側に設けられる。第五内部連結点Ｐ１５には、第一内部連結点Ｐ１１から第三内部連結点Ｐ１３までで中央に分岐した電路が接続される。
【００３８】
第六内部連結点Ｐ１６は、電路の最も第三蓄電装置１３に近い側に設けられる。第六内部連結点Ｐ１６には、第一内部連結点Ｐ１１で上側に分岐した電路及び第三内部連結点Ｐ１３で下側に分岐した電路が接続される。また、第六内部連結点Ｐ１６は、第七内部連結点Ｐ１７を介して第二内部連結点Ｐ１２で右側に分岐した電路が接続される。
【００３９】
第七内部連結点Ｐ１７は、第一内部連結点Ｐ１１で上側に分岐した電路の中途部に設けられる。
【００４０】
第八内部連結点Ｐ１８は、第三内部連結点Ｐ１３で上側に分岐した電路の中途部に設けられる。
【００４１】
このような電路を有する切替装置３０は、第一スイッチ３１から第九スイッチ３９までを具備する。第一スイッチ３１から第九スイッチ３９までは、前記電路に適宜設けられ、当該設けられた箇所を開閉する。第一スイッチ３１から第九スイッチ３９までは、例えば機械式リレーによって構成される。
【００４２】
第一スイッチ３１は、第一内部連結点Ｐ１１で下側に分岐した電路の中途部、より詳細には、第一内部連結点Ｐ１１と第四内部連結点Ｐ１４との間に設けられる。
【００４３】
第二スイッチ３２は、第一内部連結点Ｐ１１で中央に分岐した電路の中途部、より詳細には、第一内部連結点Ｐ１１と第五内部連結点Ｐ１５との間に設けられる。
【００４４】
第三スイッチ３３は、第一内部連結点Ｐ１１で上側に分岐した電路の中途部、より詳細には、第一内部連結点Ｐ１１と第七内部連結点Ｐ１７との間に設けられる。
【００４５】
第四スイッチ３４は、第二内部連結点Ｐ１２で左側に分岐した電路の中途部、より詳細には、第二内部連結点Ｐ１２と第八内部連結点Ｐ１８との間に設けられる。
【００４６】
第五スイッチ３５は、第二内部連結点Ｐ１２で中央に分岐した電路の中途部、より詳細には、第二内部連結点Ｐ１２と第五内部連結点Ｐ１５との間に設けられる。
【００４７】
第六スイッチ３６は、第二内部連結点Ｐ１２で右側に分岐した電路の中途部、より詳細には、第二内部連結点Ｐ１２と第七内部連結点Ｐ１７との間に設けられる。
【００４８】
第七スイッチ３７は、第三内部連結点Ｐ１３で下側に分岐した電路の中途部、より詳細には、第三内部連結点Ｐ１３と第六内部連結点Ｐ１６との間に設けられる。
【００４９】
第八スイッチ３８は、第三内部連結点Ｐ１３で中央に分岐した電路の中途部、より詳細には、第三内部連結点Ｐ１３と第五内部連結点Ｐ１５との間に設けられる。
【００５０】
第九スイッチ３９は、第三内部連結点Ｐ１３で上側に分岐した電路の中途部、より詳細には、第三内部連結点Ｐ１３と第八内部連結点Ｐ１８との間に設けられる。
【００５１】
図１に示すように、ＥＭＳ４０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ４０は、ＣＰＵ等の演算処理部、ＲＡＭやＲＯＭ等の記憶部や、タッチパネル等の入出力部等を具備する。ＥＭＳ４０の記憶部には、電力供給システム１の動作を制御する際に用いられる種々の情報やプログラム等が予め記憶される。ＥＭＳ４０の演算処理部は、前記プログラムを実行して前記種々の情報を用いた所定の演算処理等を行うことで、電力供給システム１を動作させることができる。
【００５２】
また、ＥＭＳ４０は、各蓄電装置１０と電気的に接続される。ＥＭＳ４０は、各蓄電装置１０から所定の信号が入力可能に構成され、各蓄電装置１０の積算放電電力量を取得することができる。
【００５３】
また、ＥＭＳ４０は、切替装置３０と電気的に接続される。ＥＭＳ４０は、所定の信号を切替装置３０に出力可能に構成され、切替装置３０の動作を制御する（第一スイッチ３１から第九スイッチ３９までの開閉を行う）ことができる。
【００５４】
以下では、図３から図５までを参照して電力供給システム１による電力の供給（融通）態様について具体的に説明する。なお、以下において、各蓄電装置１０の最大放電量は、５００Ｗであるものとする。また、各住宅Ｈで消費される電力の合計値（各住宅Ｈの消費電力）は、１２００Ｗであるものとする。また、切替装置３０は、動作していない（非動作時である）ものとする。
【００５５】
また、図３においては、切替装置３０内の電路のうち、第一センサ２１から第三センサ２３までと、第一蓄電装置１１から第三蓄電装置１３までとを１対１で接続している部分（センサと蓄電装置１０との間で信号を入出力可能な部分）を太い実線で示すと共に、他の部分を点線で示している。また、図４及び図５に記載される白塗りの矢印は、電力の流通方向を示している。また、前記白塗りの矢印に付された数値は、前記矢印における電力量を示している。また、図４及び図５においては、切替装置３０が第一センサ２１等と第一蓄電装置１１等とを接続している状態を模式的に示している。
【００５６】
図３に示すように、切替装置３０が動作していない場合、第一スイッチ３１、第五スイッチ３５及び第七スイッチ３７は、閉状態となる。また、その他のスイッチ（第二スイッチ３２、第三スイッチ３３、第四スイッチ３４、第六スイッチ３６、第八スイッチ３８及び第九スイッチ３９）は、開状態となる。こうして、切替装置３０の非動作時においては、第一内部連結点Ｐ１１及び第四内部連結点Ｐ１４を介して第一センサ２１と第一蓄電装置１１とが接続される。また、第二内部連結点Ｐ１２及び第五内部連結点Ｐ１５を介して第二センサ２２と第二蓄電装置１２とが接続される。また、第三内部連結点Ｐ１３及び第六内部連結点Ｐ１６を介して第三センサ２３と第三蓄電装置１３とが接続される。
【００５７】
図４（ａ）は、各蓄電装置１０が放電を開始する前の電力の流通方向及び電力量を示したものである。図４（ａ）に示す状態において、各住宅Ｈの消費電力（１２００Ｗの電力量）は系統電源Ｓからの電力（１２００Ｗの電力量）で賄われる。
【００５８】
図４（ａ）に示す状態から各蓄電装置１０が放電する場合には、図４（ｂ）に示すように、まず第一センサ２１と接続された第一蓄電装置１１の放電量が確定される。このとき、第一蓄電装置１１は、第一センサ２１の検出値に基づいて５００Ｗの電力（最大放電量の電力）を放電する。こうして、第一蓄電装置１１から放電された電力は、各住宅Ｈへと供給される。また、第一蓄電装置１１から放電された電力だけでは不足する７００Ｗの電力が、上流側からの電力で賄われる。
【００５９】
図４（ｂ）に示す状態のように各住宅Ｈの消費電力を第一蓄電装置１１からの電力だけで賄えない場合には、図５（ａ）に示すように、第二センサ２２と接続された第二蓄電装置１２の放電量が確定される。このとき、第二蓄電装置１２は、第二センサ２２の検出値に基づいて５００Ｗの電力（最大放電量の電力）を放電する。こうして、第二蓄電装置１２から放電された電力は、各住宅Ｈへと供給される。また、第一蓄電装置１１及び第二蓄電装置１２から放電された電力だけでは不足する２００Ｗの電力が、上流側からの電力で賄われる。
【００６０】
図５（ａ）に示す状態のように各住宅Ｈの消費電力を第一蓄電装置１１及び第二蓄電装置１２からの電力だけで賄えない場合には、図５（ｂ）に示すように、第三センサ２３と接続された第三蓄電装置１３の放電量が確定される。このとき、第三蓄電装置１３は、第三センサ２３の検出値に基づいて２００Ｗの電力を放電する。これにより、各蓄電装置１０は、各住宅Ｈの消費電力を賄うことができる。このとき、第三センサ２３の検出値は０Ｗとなる。また、第二センサ２２の検出値は２００Ｗとなる。また、第一センサ２１の検出値は７００Ｗとなる。
【００６１】
このように、切替装置３０の非動作時においては、センサ部２０の中で最も下流側に配置される第一センサ２１と接続された第一蓄電装置１１から順番に（第一蓄電装置１１、第二蓄電装置１２、第三蓄電装置１３の順番に）放電量が確定されていく。
【００６２】
なお、第三蓄電装置１３から電力が放電されても各住宅Ｈの消費電力が賄えない場合には、系統電源Ｓから不足する分の電力が購入される（系統電源Ｓから購入された電力が、各住宅Ｈへと供給される）。
【００６３】
こうして、電力供給システム１においては、各蓄電装置１０から放電された電力を、当該各蓄電装置１０を所有する住人（住宅Ｈ）だけでなく、その他の住人（住宅Ｈ）へも供給することとなる。すなわち、電力小売事業者が電力会社から一括購入して、各蓄電装置１０に充電させた電力（それぞれの住宅Ｈの住人が料金を支払った後の電力）を、複数の住宅Ｈ間で適宜融通することができる。
【００６４】
なお、上述の如く各蓄電装置１０から放電された電力は、当該各蓄電装置１０を所有する住人が電力小売事業者から購入したものである。このような構成においては、一の蓄電装置１０に充電させた電力（当該一の蓄電装置１０を所有する住人が電力小売事業者から購入した電力）を、他の蓄電装置１０を所有する住宅Ｈ（住人）へと融通した場合、当該融通した電力量分の料金が、最終的に当該他の住宅Ｈの住人から一の住宅Ｈの住人へと支払われる。
【００６５】
仮に、図４及び図５に示す状態のまま、すなわち特定のセンサと特定の蓄電装置との接続状態が維持されたままで各蓄電装置１０が放電を行う場合には、複数の蓄電装置１０における放電量に偏りが生じるため、問題が生じることがある。
【００６６】
具体的には、上述の如く、図４及び図５に示す状態においては、まず第一蓄電装置１１の放電量が確定され、各住宅Ｈの消費電力が賄えない場合に、第二蓄電装置１２、第三蓄電装置１３の順番に放電量が確定されていく。このため、放電量は、第一蓄電装置１１、第二蓄電装置１２、第三蓄電装置１３の順番に多くなる。そのため、複数の住宅Ｈ間で電力が融通されたことによる料金（他の住宅Ｈの住人から一の住宅Ｈの住人へと支払われる料金）は、第一蓄電装置１１を所有する第一住宅Ｈ１の住人が多く得ることとなる。
【００６７】
また、第一蓄電装置１１から放電された電力だけで各住宅Ｈの消費電力が賄えている場合には、第二蓄電装置１２及び第三蓄電装置１３から電力が放電されない。このような場合、複数の住宅Ｈ間で電力が融通されたことによる料金は、第一蓄電装置１１を所有する第一住宅Ｈ１の住人だけが得ることとなる。
【００６８】
このように、特定のセンサと特定の蓄電装置との接続状態が維持されたままである場合には、複数の蓄電装置１０における放電量に偏りが生じるため、複数の住宅Ｈ（住人）間で得ることができる料金が不均等となり問題であった。また、複数の蓄電装置１０における放電量に偏りが生じるため、複数の蓄電装置１０における寿命（耐用年数）が不均等となり問題であった。
【００６９】
そこで、電力供給システム１においては、ＥＭＳ４０によって複数の蓄電装置１０における放電量の偏りを抑制するための処理（各蓄電装置１０の放電に所定の放電優先順位を設定する等の処理）が行われる。
【００７０】
以下では、このようなＥＭＳ４０による放電量の偏りを抑制するための処理について説明する。当該処理は、例えば、各住宅Ｈで電力の融通を開始する直前や融通を開始してから一定時間経過後等に行われる。
【００７１】
ＥＭＳ４０は、まず事前設定の処理を行い、その後に切替装置３０の動作の処理を行う。
【００７２】
事前設定の処理においては、ＥＭＳ４０は、放電優先順位の設定を行う。また、切替装置３０の動作の処理においては、ＥＭＳ４０は、放電優先順位に基づいて、切替装置３０を具体的に動作させる。なお、放電優先順位とは、各蓄電装置１０のうち、どの蓄電装置１０を優先的に放電させるのかを決定する判断基準となるものである。
【００７３】
まず以下では、図６を用いて、ＥＭＳ４０による事前設定の処理について説明する。
【００７４】
ステップＳ１０１において、ＥＭＳ４０は、各蓄電装置１０の積算放電電力量を取得する。これにより、ＥＭＳ４０は、各蓄電装置１０において直近の２４時間の間に放電された電力量の総和を取得する。ＥＭＳ４０は、ステップＳ１０１の処理を実行した後、ステップＳ１０２の処理を実行する。
【００７５】
ステップＳ１０２において、ＥＭＳ４０は、ステップＳ１０１で取得した積算放電電力量に基づいて、各蓄電装置１０の放電優先順位を設定する。具体的には、ＥＭＳ４０は、各蓄電装置１０に対して、積算放電電力量の少ない順番に高い放電優先順位（第一位、第二位、第三位）を設定する。
【００７６】
こうして、ＥＭＳ４０は、ステップＳ１０２の処理を実行した後、事前設定の処理を終了する。
【００７７】
次に、図７から図２５までを用いて、ＥＭＳ４０による第一実施形態に係る切替装置３０の動作の処理について説明する。切替装置３０の動作の処理は、放電優先順位に応じて、センサ部２０のセンサと各蓄電装置１０との接続関係（第一センサ２１から第三センサ２３までに対してどの蓄電装置１０を接続させるか）を変更する処理である。
【００７８】
なお、切替装置３０の動作の処理においても、各蓄電装置１０の最大放電量は５００Ｗであるものとする。また、各住宅Ｈの消費電力は、１２００Ｗであるものとする。また、切替装置３０の動作の処理を開始する場合において、第一スイッチ３１から第九スイッチ３９までは、全て開状態になっているものとする。
【００７９】
また、図８、図１１、図１４、図１７、図２０及び図２３においては、切替装置３０内の電路のうち、第一センサ２１等と第一蓄電装置１１等とを接続している部分を太い実線で示すと共に、他の部分を点線で示している。
【００８０】
また、図９、図１０、図１２、図１３、図１５、図１６、図１８、図１９、図２１、図２２、図２４及び図２５に記載される白塗りの矢印は、電力の流通方向を示している。また、前記白塗りの矢印に付された数値は、前記矢印における電力量を示している。また、図９、図１０、図１２、図１３、図１５、図１６、図１８、図１９、図２１、図２２、図２４及び図２５においては、切替装置３０がセンサ部２０のセンサと各蓄電装置１０とを接続している状態を模式的に示している。
【００８１】
図７に示すように、ステップＳ１１１において、ＥＭＳ４０は、放電優先順位の第一位が第一蓄電装置１１であるか否かを判断する。ＥＭＳ４０は、放電優先順位の第一位が第一蓄電装置１１であると判断すると（ステップＳ１１１でＹＥＳ）、ステップＳ１１２の処理を実行する。
【００８２】
ステップＳ１１２において、ＥＭＳ４０は、第一スイッチ３１を閉状態にすると共に、第二スイッチ３２及び第三スイッチ３３を開状態のままで保持する（図８参照）。これにより、切替装置３０は、第一センサ２１と第一蓄電装置１１とを接続させる。ＥＭＳ４０は、ステップＳ１１２の処理を実行した後、ステップＳ１１３の処理を実行する。
【００８３】
ステップＳ１１３において、ＥＭＳ４０は、放電優先順位の第二位が第二蓄電装置１２であるか否かを判断する。ＥＭＳ４０は、放電優先順位の第二位が第二蓄電装置１２であると判断すると（ステップＳ１１３でＹＥＳ）、ステップＳ１１４の処理を実行する。
【００８４】
ステップＳ１１４において、図７及び図８に示すように、ＥＭＳ４０は、第五スイッチ３５及び第七スイッチ３７を閉状態にすると共に、第四スイッチ３４、第六スイッチ３６、第八スイッチ３８及び第九スイッチ３９を開状態のままで保持する。これにより、切替装置３０は、第二センサ２２と第二蓄電装置１２とを接続させると共に、第三センサ２３と第三蓄電装置１３とを接続させる。
【００８５】
ＥＭＳ４０は、放電優先順位が第一位から順番に、第一蓄電装置１１、第二蓄電装置１２、第三蓄電装置１３となった場合（ステップＳ１１１・１１３でＹＥＳ）に、このようなステップＳ１１２・Ｓ１１４の処理を実行する。これによって、ＥＭＳ４０は、最も下流側に配置される第一センサ２１から順番に、第一蓄電装置１１、第二蓄電装置１２、第三蓄電装置１３と接続させる。
【００８６】
これによれば、放電優先順位に従って各蓄電装置１０を放電させることができる。より詳細には、図９に示すように、ＥＭＳ４０は、放電優先順位が第一位の第一蓄電装置１１から優先的に電力を放電させることができる。また、図１０（ａ）に示すように、ＥＭＳ４０は、第一蓄電装置１１だけで電力を賄えない場合に、放電優先順位が第二位の第二蓄電装置１２から優先的に放電させることができる。また、図１０（ｂ）に示すように、ＥＭＳ４０は、第一蓄電装置１１及び第二蓄電装置１２だけで電力を賄えない場合に、放電優先順位が第三位の第三蓄電装置１３から放電させることができる。
【００８７】
図７に示すように、ＥＭＳ４０は、ステップＳ１１４の処理を実行した後、切替装置３０の動作の処理を終了する。
【００８８】
また、ステップＳ１１３において、ＥＭＳ４０は、放電優先順位の第二位が第二蓄電装置１２でないと判断すると（ステップＳ１１３でＮＯ）、ステップＳ１１５の処理を実行する。
【００８９】
ステップＳ１１５において、図７及び図１１に示すように、ＥＭＳ４０は、第六スイッチ３６及び第八スイッチ３８を閉状態にすると共に、第四スイッチ３４、第五スイッチ３５、第七スイッチ３７及び第九スイッチ３９を開状態のままで保持する。これにより、切替装置３０は、第二内部連結点Ｐ１２、第七内部連結点Ｐ１７及び第六内部連結点Ｐ１６を介して第二センサ２２と第三蓄電装置１３とを接続させると共に、第三内部連結点Ｐ１３及び第五内部連結点Ｐ１５を介して第三センサ２３と第二蓄電装置１２とを接続させる。
【００９０】
ＥＭＳ４０は、放電優先順位が第一位から順番に、第一蓄電装置１１、第三蓄電装置１３、第二蓄電装置１２となった場合（ステップＳ１１１でＹＥＳ、かつステップＳ１１３でＮＯ）に、このようなステップＳ１１２・Ｓ１１５の処理を実行する。これによって、ＥＭＳ４０は、最も下流側に配置される第一センサ２１から順番に、第一蓄電装置１１、第三蓄電装置１３、第二蓄電装置１２と接続させる。
【００９１】
これによれば、放電優先順位に従って各蓄電装置１０を放電させることができる。より詳細には、図１２に示すように、ＥＭＳ４０は、放電優先順位が第一位の第一蓄電装置１１から優先的に電力を放電させることができる。また、図１３（ａ）に示すように、ＥＭＳ４０は、第一蓄電装置１１だけで電力を賄えない場合に、放電優先順位が第二位の第三蓄電装置１３から優先的に放電させることができる。このとき、第三蓄電装置１３は、第二センサ２２の検出値に基づいて５００Ｗの電力を放電する。また、図１３（ｂ）に示すように、第一蓄電装置１１及び第三蓄電装置１３だけで電力を賄えない場合に、放電優先順位が第三位の第二蓄電装置１２から放電させることができる。このとき、第二蓄電装置１２は、第三センサ２３の検出値に基づいて２００Ｗの電力を放電する。
【００９２】
図７に示すように、ＥＭＳ４０は、ステップＳ１１５の処理を実行した後、切替装置３０の動作の処理を終了する。
【００９３】
また、ステップＳ１１１において、ＥＭＳ４０は、放電優先順位の第一位が第一蓄電装置１１でないと判断すると（ステップＳ１１１でＮＯ）、ステップＳ１１６の処理を実行する。
【００９４】
ステップＳ１１６において、ＥＭＳ４０は、放電優先順位の第一位が第二蓄電装置１２であるか否かを判断する。ＥＭＳ４０は、放電優先順位の第一位が第二蓄電装置１２であると判断すると（ステップＳ１１６でＹＥＳ）、ステップＳ１１７の処理を実行する。
【００９５】
ステップＳ１１７において、ＥＭＳ４０は、第二スイッチ３２を閉状態にすると共に、第一スイッチ３１及び第三スイッチ３３を開状態のままで保持する。これにより、切替装置３０は、第一内部連結点Ｐ１１及び第五内部連結点Ｐ１５を介して第一センサ２１と第二蓄電装置１２とを接続させる（図１４参照）。ＥＭＳ４０は、ステップＳ１１７の処理を実行した後、ステップＳ１１８の処理を実行する。
【００９６】
ステップＳ１１８において、ＥＭＳ４０は、放電優先順位の第二位が第一蓄電装置１１であるか否かを判断する。ＥＭＳ４０は、放電優先順位の第二位が第一蓄電装置１１であると判断すると（ステップＳ１１８でＹＥＳ）、ステップＳ１１９の処理を実行する。
【００９７】
ステップＳ１１９において、図７及び図１４に示すように、ＥＭＳ４０は、第四スイッチ３４及び第七スイッチ３７を閉状態にすると共に、第五スイッチ３５、第六スイッチ３６、第八スイッチ３８及び第九スイッチ３９を開状態のままで保持する。これにより、切替装置３０は、第二内部連結点Ｐ１２、第八内部連結点Ｐ１８及び第四内部連結点Ｐ１４を介して第二センサ２２と第一蓄電装置１１とを接続させると共に、第三内部連結点Ｐ１３及び第六内部連結点Ｐ１６を介して第三センサ２３と第三蓄電装置１３とを接続させる。
【００９８】
ＥＭＳ４０は、放電優先順位が第一位から順番に、第二蓄電装置１２、第一蓄電装置１１、第三蓄電装置１３となった場合（ステップＳ１１６・１１８でＹＥＳ）に、このようなステップＳ１１７・Ｓ１１９の処理を実行する。これによって、ＥＭＳ４０は、最も下流側に配置される第一センサ２１から順番に、第二蓄電装置１２、第一蓄電装置１１、第三蓄電装置１３と接続させる。
【００９９】
これによれば、放電優先順位に従って各蓄電装置１０を放電させることができる。より詳細には、図１５に示すように、ＥＭＳ４０は、放電優先順位が第一位の第二蓄電装置１２から優先的に放電させることができる。このとき、第二蓄電装置１２は、第一センサ２１の検出値に基づいて５００Ｗの電力を放電する。また、図１６（ａ）に示すように、ＥＭＳ４０は、第二蓄電装置１２だけで電力を賄えない場合に、放電優先順位が第二位の第一蓄電装置１１から優先的に放電させることができる。このとき、第一蓄電装置１１は、第二センサ２２の検出値に基づいて５００Ｗの電力を放電する。また、図１６（ｂ）に示すように、第一蓄電装置１１及び第二蓄電装置１２だけで電力を賄えない場合に、放電優先順位が第三位の第三蓄電装置１３から放電させることができる。このとき、第三蓄電装置１３は、第三センサ２３の検出値に基づいて２００Ｗの電力を放電する。
【０１００】
図７に示すように、ＥＭＳ４０は、ステップＳ１１９の処理を実行した後、切替装置３０の動作の処理を終了する。
【０１０１】
また、ステップＳ１１８において、ＥＭＳ４０は、放電優先順位の第二位が第一蓄電装置１１でないと判断すると（ステップＳ１１８でＮＯ）、ステップＳ１２０の処理を実行する。
【０１０２】
ステップＳ１２０において、ＥＭＳ４０は、図７及び図１７に示すように、第六スイッチ３６及び第九スイッチ３９を閉状態にすると共に、第四スイッチ３４、第五スイッチ３５、第七スイッチ３７及び第八スイッチ３８を開状態のままで保持する。これにより、切替装置３０は、第二内部連結点Ｐ１２、第七内部連結点Ｐ１７及び第六内部連結点Ｐ１６を介して第二センサ２２と第三蓄電装置１３とを接続させると共に、第三内部連結点Ｐ１３、第八内部連結点Ｐ１８及び第四内部連結点Ｐ１４を介して第三センサ２３と第一蓄電装置１１とを接続させる。
【０１０３】
ＥＭＳ４０は、放電優先順位が第一位から順番に、第二蓄電装置１２、第三蓄電装置１３、第一蓄電装置１１となった場合（ステップＳ１１６でＹＥＳ、かつステップＳ１１８でＮＯ）に、このようなステップＳ１１７・Ｓ１２０の処理を実行する。これによって、ＥＭＳ４０は、センサ部２０のセンサを、最も下流側に配置される第一センサ２１から順番に、第二蓄電装置１２、第三蓄電装置１３、第一蓄電装置１１と接続させる。
【０１０４】
これによれば、放電優先順位に従って各蓄電装置１０を放電させることができる。より詳細には、図１８に示すように、ＥＭＳ４０は、放電優先順位が第一位の第二蓄電装置１２から優先的に電力を放電させることができる。また、図１９（ａ）に示すように、ＥＭＳ４０は、第二蓄電装置１２だけで電力を賄えない場合に、放電優先順位が第二位の第三蓄電装置１３から優先的に放電させることができる。このとき、第三蓄電装置１３は、第二センサ２２の検出値に基づいて５００Ｗの電力を放電する。また、図１９（ｂ）に示すように、第二蓄電装置１２及び第三蓄電装置１３だけで電力を賄えない場合に、放電優先順位が第三位の第一蓄電装置１１から放電させることができる。このとき、第一蓄電装置１１は、第三センサ２３の検出値に基づいて２００Ｗの電力を放電する。
【０１０５】
図７に示すように、ＥＭＳ４０は、ステップＳ１２０の処理を実行した後、切替装置３０の動作の処理を終了する。
【０１０６】
また、ステップＳ１１６において、ＥＭＳ４０は、放電優先順位の第一位が第二蓄電装置１２でないと判断すると（ステップＳ１１６でＮＯ）、放電優先順位の第一位が第三蓄電装置１３であると判断し、ステップＳ１２１の処理を実行する。
【０１０７】
ステップＳ１２１において、ＥＭＳ４０は、第三スイッチ３３を閉状態にすると共に、第一スイッチ３１及び第二スイッチ３２を開状態のままで保持する。これにより、切替装置３０は、第一内部連結点Ｐ１１、第七内部連結点Ｐ１７及び第六内部連結点Ｐ１６を介して第一センサ２１と第三蓄電装置１３とを接続させる（図２０参照）。ＥＭＳ４０は、ステップＳ１２１の処理を実行した後、ステップＳ１２２の処理を実行する。
【０１０８】
ステップＳ１２２において、ＥＭＳ４０は、放電優先順位の第二位が第一蓄電装置１１であるか否かを判断する。ＥＭＳ４０は、放電優先順位の第二位が第一蓄電装置１１であると判断すると（ステップＳ１２２でＹＥＳ）、ステップＳ１２３の処理を実行する。
【０１０９】
ステップＳ１２３において、図７及び図２０に示すように、ＥＭＳ４０は、第四スイッチ３４及び第八スイッチ３８を閉状態にすると共に、第五スイッチ３５、第六スイッチ３６、第七スイッチ３７及び第九スイッチ３９を開状態のままで保持する。これにより、切替装置３０は、第二内部連結点Ｐ１２、第八内部連結点Ｐ１８及び第四内部連結点Ｐ１４を介して第二センサ２２と第一蓄電装置１１とを接続させると共に、第三内部連結点Ｐ１３及び第五内部連結点Ｐ１５を介して第三センサ２３と第二蓄電装置１２とを接続させる。
【０１１０】
ＥＭＳ４０は、放電優先順位が第一位から順番に、第三蓄電装置１３、第一蓄電装置１１、第二蓄電装置１２となった場合（ステップＳ１１６でＮＯ、かつステップＳ１２２でＹＥＳ）に、このようなステップＳ１２１・Ｓ１２３の処理を実行する。これによって、ＥＭＳ４０は、最も下流側に配置される第一センサ２１から順番に、第三蓄電装置１３、第一蓄電装置１１、第二蓄電装置１２と接続させる。
【０１１１】
これによれば、放電優先順位に従って各蓄電装置１０を放電させることができる。より詳細には、図２１に示すように、ＥＭＳ４０は、放電優先順位が第一位の第三蓄電装置１３から優先的に放電させることができる。このとき、第三蓄電装置１３は、第一センサ２１の検出値に基づいて５００Ｗの電力を放電する。また、図２２（ａ）に示すように、ＥＭＳ４０は、第三蓄電装置１３だけで電力を賄えない場合に、放電優先順位が第二位の第一蓄電装置１１から優先的に放電させることができる。このとき、第一蓄電装置１１は、第二センサ２２の検出値に基づいて５００Ｗの電力を放電する。また、図２２（ｂ）に示すように、第一蓄電装置１１及び第三蓄電装置１３だけで電力を賄えない場合に、放電優先順位が第三位の第二蓄電装置１２から放電させることができる。このとき、第二蓄電装置１２は、第三センサ２３の検出値に基づいて２００Ｗの電力を放電する。
【０１１２】
図７に示すように、ＥＭＳ４０は、ステップＳ１２３の処理を実行した後、切替装置３０の動作の処理を終了する。
【０１１３】
また、ステップＳ１２２において、ＥＭＳ４０は、放電優先順位の第二位が第一蓄電装置１１でないと判断すると（ステップＳ１２２でＮＯ）、ステップＳ１２４の処理を実行する。
【０１１４】
ステップＳ１２４において、図７及び図２３に示すように、ＥＭＳ４０は、第五スイッチ３５及び第九スイッチ３９を閉状態にすると共に、第四スイッチ３４、第六スイッチ３６、第七スイッチ３７及び第八スイッチ３８を開状態のままで保持する。これにより、切替装置３０は、第二内部連結点Ｐ１２及び第五内部連結点Ｐ１５を介して第二センサ２２と第二蓄電装置１２とを接続させると共に、第三内部連結点Ｐ１３、第八内部連結点Ｐ１８及び第四内部連結点Ｐ１４を介して第三センサ２３と第一蓄電装置１１とを接続させる。
【０１１５】
ＥＭＳ４０は、放電優先順位が第一位から順番に、第三蓄電装置１３、第二蓄電装置１２、第一蓄電装置１１となった場合（ステップＳ１１６・１２２でＮＯ）に、このようなステップＳ１２１・Ｓ１２４の処理を実行する。これによって、ＥＭＳ４０は、最も下流側に配置される第一センサ２１から順番に、第三蓄電装置１３、第二蓄電装置１２、第一蓄電装置１１と接続させる。
【０１１６】
これによれば、放電優先順位に従って各蓄電装置１０を放電させることができる。より詳細には、図２４に示すように、ＥＭＳ４０は、放電優先順位が第一位の第三蓄電装置１３から優先的に放電させることができる。また、図２５（ａ）に示すように、ＥＭＳ４０は、第三蓄電装置１３だけで電力を賄えない場合に、放電優先順位が第二位の第二蓄電装置１２から優先的に放電させることができる。このとき、第二蓄電装置１２は、第二センサ２２の検出値に基づいて５００Ｗの電力を放電する。また、図２５（ｂ）に示すように、第二蓄電装置１２及び第三蓄電装置１３だけで電力を賄えない場合に、放電優先順位が第三位の第一蓄電装置１１から放電させることができる。このとき、第一蓄電装置１１は、第三センサ２３の検出値に基づいて２００Ｗの電力を放電する。
【０１１７】
図７に示すように、ＥＭＳ４０は、ステップＳ１２４の処理を実行した後、切替装置３０の動作の処理を終了する。
【０１１８】
以上のように、ＥＭＳ４０は、放電優先順位が上位の蓄電装置１０ほど下流側に配置されるセンサと接続させるように、切替装置３０の動作を制御する。ここで、下流側に配置されるセンサ（第一センサ２１）は、系統電源Ｓからの電力に加えて、第二蓄電装置１２及び第三蓄電装置１３からの電力も検出することとなる（図２５（ａ）参照）。一方、上流側に配置される第二センサ２２は、系統電源Ｓ及び第三蓄電装置１３からの電力を検出することとなる（図２５（ａ）参照）。また、上流側に配置される第三センサ２３は、系統電源Ｓからの電力を検出することとなる（図２５（ａ）参照）。このように、配電線Ｌに設けられたセンサは、各蓄電装置１０が放電したときに、下流側に配置されているものほど検出値が高くなる。以上の如く、ＥＭＳ４０は、切替装置３０の動作の制御において、放電優先順位が上位の蓄電装置１０ほど各蓄電装置１０が放電したときに検出値が高くなるセンサと接続させている。
【０１１９】
以上によって、積算放電電力量の少ない蓄電装置１０を優先的に放電させることができる。これによれば、各蓄電装置１０における放電電力量の偏り（積算放電電力量の偏り）の解消を図ることができる。これによって、複数の住宅Ｈ（住人）間で得ることができる料金の均等化を図ることができる。
【０１２０】
また、各蓄電装置１０における放電電力量に生じた偏りの解消を図ることによって、当該各蓄電装置１０における充放電回数の偏りも解消することができる。こうして、各蓄電装置１０における充放電回数を均等化させることができるため、ひいては当該各蓄電装置１０における寿命（耐用年数）の均等化を図ることができる。
【０１２１】
また、電力供給システム１によれば、放電優先順位が上位の蓄電装置１０から優先的に放電されるように、各蓄電装置１０とセンサ部２０のセンサとの接続関係を変更することができる。このため、各蓄電装置１０は、各住宅Ｈで電力を融通する際に、接続されたセンサ部２０のセンサの検出結果に基づいて負荷追従運転を行うだけで放電優先順位に応じて放電することができる。これにより、簡単に（電力を融通している最中に各蓄電装置１０に対して特別な制御を行うことなく）各住宅Ｈで電力を融通することができる。
【０１２２】
ここで、例えば、放電優先順位が第二位の蓄電装置を第一位の蓄電装置よりも先にセンサ部２０のセンサと接続してしまうと、接続した直後に（第一位の蓄電装置よりも先に）第二位の蓄電装置が一時的に放電してしまう可能性がある。そこで、ＥＭＳ４０は、ステップＳ１１２・Ｓ１１７・Ｓ１２１で放電優先順位が第一位の蓄電装置を最初に（第二位及び第三位の蓄電装置よりも前に）センサ部２０のセンサと接続させている。これによれば、切替装置３０の動作の処理において、放電優先順位が第二位及び第三位の蓄電装置が第一位の蓄電装置よりも先に一時的に放電してしまうことを防止できる。
【０１２３】
また、ＥＭＳ４０は、ステップＳ１１４・Ｓ１１５・Ｓ１１９・Ｓ１２０・Ｓ１２３・Ｓ１２４で放電優先順位が第二位の蓄電装置を第三位の蓄電装置よりも先にセンサ部２０のセンサと接続させている。具体的には、第四スイッチ３４から第六スイッチ３６までの開閉を、第七スイッチ３７から第九スイッチ３９までの開閉よりも先に行っている。これによれば、切替装置３０の動作の処理において、放電優先順位が第二位の蓄電装置が第三位の蓄電装置よりも先に一時的に放電してしまうことを防止できる。
【０１２４】
以上のように、放電優先順位の順番どおりに（上位の蓄電装置から順番に）各蓄電装置１０をセンサ部２０のセンサと接続させることによって、放電優先順位が下位の蓄電装置が上位の蓄電装置よりも先に一時的に放電することを防止できる。
【０１２５】
次に、図２６から図３２までを用いて、第二実施形態に係る電力供給システム１０１について説明する。
【０１２６】
図２６に示すように、第二実施形態に係る電力供給システム１０１は、二つの住宅Ｈ（第一住宅Ｈ１及び第二住宅Ｈ２）間で電力を融通する点が第一実施形態に係る電力供給システム１と大きく異なる点である。
【０１２７】
第二実施形態に係る電力供給システム１０１は、主として複数の蓄電装置１１０、センサ部１２０、切替装置１３０及びＥＭＳ１４０を具備する。
【０１２８】
複数の蓄電装置１１０は、第三蓄電装置１３を具備していない点を除いて第一実施形態に係る複数の蓄電装置１０と同様に構成される。センサ部１２０は、第三センサ２３を具備していない点を除いて第一実施形態に係るセンサ部２０と同様に構成される。
【０１２９】
図２７に示すように、切替装置１３０は、その内部に各蓄電装置１１０とセンサ部１２０のセンサとを接続させるための電路を有する。当該電路は、その中途部で適宜分岐して、第一蓄電装置１１及び第二蓄電装置１２と、第一センサ２１及び第二センサ２２とを互いに接続可能に構成される。電路には、複数の内部連結点（第一内部連結点Ｐ１１１から第四内部連結点Ｐ１１４まで）が設けられる。
【０１３０】
第一内部連結点Ｐ１１１は、電路の最も第一センサ２１に近い側に設けられる。電路は、第一内部連結点Ｐ１１１で各蓄電装置１１０に向けて図面の左右２つに分岐する。
【０１３１】
第二内部連結点Ｐ１１２は、電路の最も第二センサ２２に近い側に設けられる。電路は、第二内部連結点Ｐ１１２で各蓄電装置１１０に向けて図面の左右２つに分岐する。
【０１３２】
第三内部連結点Ｐ１１３は、電路の最も第一蓄電装置１１に近い側に設けられる。第三内部連結点Ｐ１１３には、第一内部連結点Ｐ１１１で右側に分岐した電路及び第二内部連結点Ｐ１１２で左側に分岐した電路が接続される。
【０１３３】
第四内部連結点Ｐ１１４は、電路の最も第二蓄電装置１２に近い側に設けられる。第四内部連結点Ｐ１４には、第一内部連結点Ｐ１１１で左側に分岐した電路及び第二内部連結点Ｐ１１２で右側に分岐した電路が接続される。
【０１３４】
このような電路を有する切替装置１３０は、第一スイッチ１３１から第四スイッチ１３４までを具備する。第一スイッチ１３１から第四スイッチ１３４までは、例えば、機械式リレーによって構成される。
【０１３５】
第一スイッチ１３１は、第一内部連結点Ｐ１１１で右側に分岐した電路の中途部、より詳細には、第一内部連結点Ｐ１１１と第三内部連結点Ｐ１１３との間に設けられる。
【０１３６】
第二スイッチ１３２は、第一内部連結点Ｐ１１１で左側に分岐した電路の中途部、より詳細には、第一内部連結点Ｐ１１１と第四内部連結点Ｐ１１４との間に設けられる。
【０１３７】
第三スイッチ１３３は、第二内部連結点Ｐ１１２で右側に分岐した電路の中途部、より詳細には、第二内部連結点Ｐ１１２と第四内部連結点Ｐ１１４との間に設けられる。
【０１３８】
第四スイッチ１３４は、第二内部連結点Ｐ１１２で左側に分岐した電路の中途部、より詳細には、第二内部連結点Ｐ１１２と第三内部連結点Ｐ１１３との間に設けられる。
【０１３９】
図２６に示すＥＭＳ１４０は、第一実施形態に係るＥＭＳ４０と略同様に構成される。ＥＭＳ１４０は、所定の信号を切替装置１３０に出力可能に構成され、切替装置１３０の動作を制御する（第一スイッチ１３１から第四スイッチ１３４までの開閉を行う）ことができる。
【０１４０】
以下では、第二実施形態に係るＥＭＳ１４０による放電量の偏りを抑制するための処理について説明する。
【０１４１】
ＥＭＳ１４０は、まず第一実施形態と同様に事前設定の処理を行って放電優先順位を設定する（図６参照）。その後、ＥＭＳ１４０は、切替装置１３０の動作の処理を行う。
【０１４２】
次に、図２８から図３２までを用いて、ＥＭＳ１４０による第二実施形態に係る切替装置１３０の動作の処理について説明する。なお、切替装置１３０の動作の処理において、各蓄電装置１１０の最大放電量は５００Ｗであるものとする。また、各住宅Ｈの消費電力は、７００Ｗであるものとする。また、切替装置１３０の動作の処理を開始する場合において、第一スイッチ１３１から第四スイッチ１３４までは、全て開状態になっているものとする。
【０１４３】
また、図２９及び図３１においては、切替装置１３０内の電路のうち、第一センサ２１等と第一蓄電装置１１等とを接続している部分を太い実線で示すと共に、他の部分を点線で示している。また、図３０及び図３２に記載される白塗りの矢印は、電力の流通方向を示している。また、前記白塗りの矢印に付された数値は、前記矢印における電力量を示している。また、図３０及び図３２においては、切替装置１３０が第一センサ２１等と第一蓄電装置１１等とを接続している状態を模式的に示している。
【０１４４】
図２８に示すように、ステップＳ２１１において、ＥＭＳ１４０は、放電優先順位の第一位が第一蓄電装置１１であるか否かを判断する。ＥＭＳ１４０は、放電優先順位の第一位が第一蓄電装置１１であると判断すると（ステップＳ２１１でＹＥＳ）、ステップＳ２１２の処理を実行する。
【０１４５】
ステップＳ２１２において、図２８及び図２９に示すように、ＥＭＳ１４０は、第一スイッチ１３１及び第三スイッチ１３３を閉状態にすると共に、第二スイッチ１３２及び第四スイッチ１３４を開状態のままで保持する。これにより、切替装置１３０は、第一内部連結点Ｐ１１１及び第三内部連結点Ｐ１１３を介して第一センサ２１と第一蓄電装置１１とを接続させると共に、第二内部連結点Ｐ１１２及び第四内部連結点Ｐ１１４を介して第二センサ２２と第二蓄電装置１２とを接続させる。
【０１４６】
ＥＭＳ１４０は、放電優先順位が第一位から順番に、第一蓄電装置１１、第二蓄電装置１２となった場合（ステップＳ２１１でＹＥＳ）に、このようなステップＳ２１２の処理を実行する。これによって、ＥＭＳ１４０は、最も下流側に配置される第一センサ２１から順番に、第一蓄電装置１１、第二蓄電装置１２と接続させる。
【０１４７】
これによれば、放電優先順位に従って各蓄電装置１１０を放電させることができる。より詳細には、図３０（ａ）及び図３０（ｂ）に示すように、ＥＭＳ１４０は、放電優先順位が第一位の第一蓄電装置１１から優先的に放電させることができる。このとき、第一蓄電装置１１は、第一センサ２１の検出値に基づいて５００Ｗの電力を放電する。また、図３０（ｃ）に示すように、ＥＭＳ１４０は、第一蓄電装置１１だけで電力を賄えない場合に、放電優先順位が第二位の第二蓄電装置１２から放電させることができる。このとき、第二蓄電装置１２は、第二センサ２２の検出値に基づいて２００Ｗの電力を放電する。
【０１４８】
図２８に示すように、ＥＭＳ１４０は、ステップＳ１１２の処理を実行した後、切替装置１３０の動作の処理を終了する。
【０１４９】
また、ステップＳ２１１において、ＥＭＳ１４０は、放電優先順位の第一位が第一蓄電装置１１でないと判断すると（ステップＳ２１１でＮＯ）、ステップＳ２１３の処理を実行する。
【０１５０】
ステップＳ２１３において、図２８及び図３１に示すように、ＥＭＳ１４０は、第二スイッチ１３２及び第四スイッチ１３４を閉状態にすると共に、第一スイッチ１３１及び第三スイッチ１３３を開状態のままで保持する。これにより、切替装置１３０は、第一内部連結点Ｐ１１１及び第四内部連結点Ｐ１１４を介して第一センサ２１と第二蓄電装置１２とを接続させると共に、第二内部連結点Ｐ１１２及び第三内部連結点Ｐ１１３を介して第二センサ２２と第一蓄電装置１１とを接続させる。
【０１５１】
ＥＭＳ１４０は、放電優先順位が第一位から順番に、第二蓄電装置１２、第一蓄電装置１１となった場合（ステップＳ２１１でＮＯ）に、このようなステップＳ２１３の処理を実行する。これによって、ＥＭＳ１４０は、最も下流側に配置される第一センサ２１から順番に、第二蓄電装置１２、第一蓄電装置１１と接続させる。
【０１５２】
これによれば、放電優先順位に従って各蓄電装置１１０を放電させることができる。より詳細には、図３２（ａ）及び図３２（ｂ）に示すように、ＥＭＳ１４０は、放電優先順位が第一位の第二蓄電装置１２から優先的に放電させることができる。このとき、第二蓄電装置１２は、第一センサ２１の検出値に基づいて５００Ｗの電力を放電する。また、図３２（ｃ）に示すように、ＥＭＳ１４０は、第二蓄電装置１２だけで電力を賄えない場合に、放電優先順位が第二位の第一蓄電装置１１から放電させることができる。このとき、第一蓄電装置１１は、第二センサ２２の検出値に基づいて２００Ｗの電力を放電する。
【０１５３】
ＥＭＳ１４０は、ステップＳ１１３の処理を実行した後、切替装置１３０の動作の処理を終了する。
【０１５４】
以上のように、第二実施形態に係る電力供給システム１０１は、２つの蓄電装置１１０における放電量の偏り（積算放電電力量の偏り）の解消を図ることができる。これによって、２つの住宅Ｈ（住人）間で得ることができる料金の均等化を図ることができる。また、２つの蓄電装置１１０における放電量に生じた偏りの解消を図ることによって、当該２つの蓄電装置１１０における充放電回数の偏りも解消することができる。
【０１５５】
また、ＥＭＳ１４０は、ステップＳ２１２・Ｓ２１３で放電優先順位が第一位の蓄電装置を最初に（放電優先順位が第二位の蓄電装置よりも前に）センサ部１２０のセンサと接続させている。これによれば、切替装置１３０の動作の処理において、放電優先順位が第二位の蓄電装置が第一位の蓄電装置よりも先に一時的に放電してしまうことを防止できる。
【０１５６】
以上の如く、電力供給システム１・１０１は、系統電源Ｓと住宅Ｈ（負荷）との間で流通する電力を検出可能な複数のセンサ２１〜２３と、
前記複数のセンサ２１〜２３の検出値に基づいて負荷追従運転を行うことで、住宅Ｈへ電力を放電可能な複数の蓄電装置１０・１１０と、
前記複数の蓄電装置１０・１１０と前記複数のセンサ２１〜２３とを１対１で互いに接続させる切替装置３０・１３０と、
前記蓄電装置１０・１１０の積算放電電力量を取得し、当該取得した積算放電電力量の少ない順番に、前記蓄電装置１０・１１０の放電の優先順位を設定し、前記優先順位が上位の蓄電装置１０・１１０ほど前記検出値が高い前記センサ２１〜２３と接続されるように、前記切替装置３０・１３０の動作を制御するＥＭＳ４０・１４０（制御部）と、
を具備するものである。
【０１５７】
このように構成することにより、複数の蓄電装置１０・１１０のうち特定の蓄電装置１０・１１０に放電や充電が偏ることを効果的に防止することができる。
【０１５８】
また、電力供給システム１・１０１は、系統電源Ｓから住宅Ｈ（負荷）に至る配電線Ｌ上の互いに異なる箇所に設けられ、当該設けられた箇所を流通する電力を検出可能な複数のセンサ２１〜２３と、
前記複数のセンサ２１〜２３の検出値に基づいて負荷追従運転を行うことで、住宅Ｈ（負荷）へ電力を放電可能な複数の蓄電装置１０・１１０と、
前記複数の蓄電装置１０・１１０と前記複数のセンサ２１〜２３とを１対１で互いに接続させる切替装置３０・１３０と、
前記蓄電装置１０・１１０の積算放電電力量を取得し、当該取得した積算放電電力量の少ない順番に、前記蓄電装置１０・１１０の放電の優先順位を設定し、前記優先順位が上位の蓄電装置１０・１１０ほど前記配電線Ｌの下流側に配置される前記センサ２１〜２３と接続されるように、前記切替装置３０・１３０の動作を制御するＥＭＳ４０・１４０（制御部）と、
を具備するものである。
【０１５９】
このように構成することにより、複数の蓄電装置１０・１１０のうち特定の蓄電装置１０・１１０に放電や充電が偏ることを効果的に防止することができる。
【０１６０】
また、前記ＥＭＳ４０・１４０は、
前記複数の蓄電装置１０・１１０のうち前記優先順位が最上位の蓄電装置１０・１１０を、他の蓄電装置１０・１１０よりも前に前記複数のセンサ２１〜２３と１対１で接続させるものである。
【０１６１】
このように構成することにより、他の（放電優先順位が下位の）蓄電装置１０・１１０が最上位（第一位）の蓄電装置１０・１１０よりも先に一時的に放電するのを防止することができる。
【０１６２】
また、前記切替装置３０・１３０は、
内部に前記複数の蓄電装置１０・１１０及び前記複数のセンサ２１〜２３と接続された電路を有し、当該電路を開閉することで、前記複数の蓄電装置１０・１１０と前記複数のセンサ２１〜２３とを１対１で互いに接続させるものである。
【０１６３】
このように構成することにより、簡単に複数の蓄電装置１０・１１０と複数のセンサ２１〜２３とを接続することができる。
【０１６４】
なお、本実施形態に係る住宅Ｈは、負荷の実施の一形態である。
また、本実施形態に係るＥＭＳ４０・１４０は、制御部の実施の一形態である。
【０１６５】
以上、本発明の実施形態を説明したが、本発明は上記構成に限定されるものではなく、特許請求の範囲に記載された発明の範囲内で種々の変更が可能である。
【０１６６】
例えば、上記実施形態においては、電力小売事業者が電力会社から一括購入した電力を、複数の住宅Ｈ間で適宜供給（融通）するとしたが、電力小売事業者が電力会社から一括購入するものでなくともよい。
【０１６７】
また、各蓄電装置１０・１１０の個数は、２個又は３個に限定されるものではなく、例えば、４個以上であってもよい。
【０１６８】
また、各蓄電装置１０・１１０は、それぞれ自然エネルギーを用いて発電する発電装置（例えば、太陽光発電装置）や、所定の燃料を用いて発電する発電装置（例えば、燃料装置）等を具備する構成であってもよい。
【０１６９】
また、積算放電電力量を算出する際の所定の期間は、直近の２４時間に限るものではなく、任意に設定可能である。
【０１７０】
また、積算放電電力量の算出は、必ずしも各蓄電装置１０・１１０が行う必要はなく、例えば、ＥＭＳ４０・１４０が行ってもよい。
【０１７１】
また、放電優先順位の設定には、所定の期間（本実施形態においては、直近の２４時間）の間に放電した電力量の総和である積算放電電力量が用いられていたが、例えば所定の期間の間に充電した電力量の総和である積算充電電力量を用いてもよいし、積算放電電力量及び積算充電電力量の両方を用いてもよい。
【０１７２】
また、切替装置３０・１３０の各スイッチ３１〜３９・１３１〜１３４は、機械式リレーによって構成されるものとしたが、これに限定されるものではなく、半導体リレーによって構成されるものであってもよい。
【０１７３】
また、センサ部２０・１２０のセンサは、検出値が異なる場所に設けられていればよく、必ずしも配電線Ｌに設けられる必要はない。センサ部２０・１２０のセンサは、例えば、配電線Ｌ上の互いに異なる２点と接続される所定の配電線と接続されるものであってもよい。
【０１７４】
また、センサ部２０・１２０のセンサの台数は、各蓄電装置１０・１１０と同じ台数であるものとしたが、これに限定されるものではなく、例えば、各蓄電装置１０・１１０の台数よりも多い台数であってもよい。このように、センサ部２０・１２０のセンサの台数は、各蓄電装置１０・１１０の台数以上であればよい。
【０１７５】
また、ＥＭＳ４０・１４０は、切替装置３０・１３０の動作において、ステップＳ１１１・Ｓ２１１の前に全てのスイッチ３１〜３９・１３１〜１３４を開状態にしたが、これに限定されるものではなく、例えば、所定のスイッチが閉状態になっている状態から放電優先順位に応じて適宜スイッチを開閉してもよい。
【符号の説明】
【０１７６】
１    電力供給システム
１０  蓄電装置
２１  第一センサ
２２  第二センサ
２３  第三センサ
３０  切替装置
４０  ＥＭＳ（制御部）
Ｈ    住宅（負荷）
Ｓ    系統電源
【図１】
2017221049.tif 000003
【図２】
2017221049.tif 000004
【図３】
2017221049.tif 000005
【図４】
2017221049.tif 000006
【図５】
2017221049.tif 000007
【図６】
2017221049.tif 000008
【図７】
2017221049.tif 000009
【図８】
2017221049.tif 000010
【図９】
2017221049.tif 000011
【図１０】
2017221049.tif 000012
【図１１】
2017221049.tif 000013
【図１２】
2017221049.tif 000014
【図１３】
2017221049.tif 000015
【図１４】
2017221049.tif 000016
【図１５】
2017221049.tif 000017
【図１６】
2017221049.tif 000018
【図１７】
2017221049.tif 000019
【図１８】
2017221049.tif 000020
【図１９】
2017221049.tif 000021
【図２０】
2017221049.tif 000022
【図２１】
2017221049.tif 000023
【図２２】
2017221049.tif 000024
【図２３】
2017221049.tif 000025
【図２４】
2017221049.tif 000026
【図２５】
2017221049.tif 000027
【図２６】
2017221049.tif 000028
【図２７】
2017221049.tif 000029
【図２８】
2017221049.tif 000030
【図２９】
2017221049.tif 000031
【図３０】
2017221049.tif 000032
【図３１】
2017221049.tif 000033
【図３２】
2017221049.tif 000034